(57)【要約】【課題】  回転操作リングに近接して固定し、様々な回転操作アクセサリーに対応したレンズ支持部材を提供する。【解決手段】  可動な光学部材と、光軸周りで回転可能で、該回転によって該光学部材を駆動させる駆動環と、前記駆動環に近接して鏡筒に固定された固定部と、を有するレンズ装置は、該固定部に着脱可能に固定された支持アダプターであって、該レンズ装置が着脱可能に接続される撮像装置に対し固定され光軸方向に延在する支持部材と連結し該レンズ装置を支持する支持アダプターを備え、該支持アダプターは、前記支持部材と連結して固定するための少なくとも２つ以上の連結固定部を光軸方向に離間して備えることを特徴とする。【選択図】  図１
2014106519.tif 000002
【特許請求の範囲】
【請求項１】
可動な光学部材と、
光軸周りで回転可能で、該回転によって該光学部材を駆動させる駆動環と、
前記駆動環に近接して鏡筒に固定された固定部と、
を有するレンズ装置は、
該固定部に着脱可能に固定された支持アダプターであって、該レンズ装置が着脱可能に接続される撮像装置に対し固定され光軸方向に延在する支持部材と連結し該レンズ装置を支持する支持アダプターを備え、
前記支持アダプターは、前記支持部材と連結して固定するための少なくとも２つ以上の連結固定部を光軸方向に離間して備える、
ことを特徴とするレンズ装置。
【請求項２】
前記支持アダプターは、前記固定部との固定位置を中心に前記光軸方向に非対称な形状を有し、前記固定部との固定位置において前記光軸に垂直な方向を軸として１８０°回転して前記固定部に固定可能である、ことを特徴とする請求項１に記載のレンズ装置。
【請求項３】
前記支持アダプターは、該レンズ装置へ機能を付与する機能アクセサリーを保持する保持部を有することを特徴とする請求項１又は２に記載のレンズ装置。
【請求項４】
前記機能アクセサリーは前記駆動環へ回転力を伝達する回転操作アクセサリーである、ことを特徴とする請求項３に記載のレンズ装置。
【請求項５】
前記機能アクセサリーはマットボックスである、ことを特徴とする請求項３に記載のレンズ装置。
【請求項６】
前記駆動環の外周上の任意の位置に固定され、前記外周上から外側に向けて突出するストッパー部材を有し、
前記支持アダプターは該ストッパー部材と当接する操作端規制部を有する、
ことを特徴とする請求項１乃至５のいずれか１項に記載のレンズ装置。
【請求項７】
請求項１乃至６のいずれか１項に記載のレンズ装置と、該レンズ装置によって結像された被写体像を撮像する撮像装置を有することを特徴とする撮影装置。
【発明の詳細な説明】
【技術分野】
【０００１】
本発明はレンズ装置に関し、特にレンズを支えるための支持部材を有するレンズ装置及びそれを有する撮影装置に関するものである。
【背景技術】
【０００２】
従来のレンズ装置は、三脚へ搭載する際にレンズを安定して保持するために、カメラ下方に設置されたガイドプレートやガイドバーに接続するためのレンズ支持部材を有している。例えば、特許文献１では、プレート部材とレンズ取付け部を連結して安定してレンズを支持し、特許文献２では、レンズの重心位置によって位置を調整できるレンズ保持部材をバー部材に有している。
【先行技術文献】
【特許文献】
【０００３】
【特許文献１】特開２００３−２９５２８８号公報
【特許文献２】特開２００７−１６３６１７号公報
【発明の概要】
【発明が解決しようとする課題】
【０００４】
シネマ撮影において、撮影者はフォーカシングやズーミング操作しやすいように、レンズ部の回転操作ギア部とギア連結して操作可能な回転操作アクセサリーを、カメラ固定部から延長されたガイドバーに固定して使用する。
【０００５】
レンズ装置の回転操作リングに近接した位置にレンズ支持部材を設け、ガイドバーと強固に締結する場合、上記従来例では以下の課題がある。すなわち、様々な形状や構造が存在する回転操作アクセサリーに対して対応できず、各アクセサリーに合わせた専用の支持部材を複数用意する、または、レンズ側に支持部材と連結する位置を複数設ける必要がある。
【０００６】
そこで、本発明の目的は、回転操作リングに近接して固定し、様々な回転操作アクセサリーに対応したレンズ支持部材を含むレンズ装置及びそれを有する撮影装置を提供するものである。
【課題を解決するための手段】
【０００７】
上記目的を達成するために、本発明のレンズ装置は、可動な光学部材と、光軸周りで回転可能で、該回転によって該光学部材を駆動させる駆動環と、前記駆動環に近接して鏡筒に固定された固定部とを有するレンズ装置は、該固定部に着脱可能に固定された支持アダプターであって、該レンズ装置が着脱可能に接続される撮像装置に対し固定され光軸方向に延在する支持部材と連結し該レンズ装置を支持する支持アダプターを備え、該アダプターは、前記支持部材と連結して固定するための少なくとも２つ以上の連結固定部を光軸方向に離間して備える、ことを特徴とする。
【発明の効果】
【０００８】
本発明によれば、回転操作リングに近接して固定し、様々な回転操作アクセサリーに対応したレンズ支持部材を含むレンズ装置及びそれを有する撮影装置を提供することができる。
【図面の簡単な説明】
【０００９】
【図１】本発明の実施例１のレンズ装置の全体図である。
【図２】本発明の実施例１のレンズ装置の図１のＡ視図を示した図である。
【図３】本発明の実施例１のレンズ装置の図２のＢ−Ｂ断面を示した図である。
【図４】本発明の実施例１のレンズ装置の全体図である。
【図５】本発明の実施例２のレンズ装置の全体図である。
【図６】本発明の実施例２のレンズ装置の図５のＣ−Ｃ断面を示した図である。
【図７】本発明の実施例３のレンズ装置の全体図である。
【図８】本発明の実施例３のレンズ装置の図7のＤ−Ｄ断面を示した図である。
【発明を実施するための形態】
【００１０】
以下に、添付図面を参照して、本発明の実施例について説明する。
【実施例１】
【００１１】
図１は本実施例におけるレンズ装置の全体図であり、図２は図１のＡ視図を示したもの、図３は、図２のＢ−Ｂ断面を示した図である。図４（ａ）、（ｂ）は、レンズ支持棒の位置を図１に対して異なった位置としたレンズ装置の全体図である。
【００１２】
図１、図２を参照して、レンズ装置の概略を説明する。レンズ本体１は、鏡筒に固定された固定部２１、及び、光軸周りで回転可能な駆動環であるフォーカス操作ギア２０とアイリス操作ギア２３を有する。フォーカス操作ギア２０を回転操作し、レンズ本体１に有する図示していない可動な光学部材であるフォーカスレンズ群を駆動して光軸上を移動させ、レンズ本体１のフォーカスを調整できる。アイリス操作ギア２３を回転操作すると、レンズ本体１に内蔵した図示していない可動な光学部材である絞り機構部の開口面積の大きさを調整し、レンズ本体１の絞り値を変更できる。レンズ本体１は、レンズマウント２４を介して、ＣＣＤなどの撮像素子を有するカメラ７０と結合する。カメラ７０は、下面に位置するカメラプレート７１と接続しており、カメラプレート７１は図示していない三脚等とビスで固定する。カメラプレート７１には、２本のバー部材５ａを有しており、バー部材５ａには、マットボックス６０、フォーカス回転操作アクセサリー５３ａ、レンズ支持ベース４３といった各種の機能を付与する機能アクセサリーが固定できる。支持部材であるバー部材５ａは、レンズ装置が着脱可能に接続される撮像装置に対しカメラプレート７１を介して間接的に固定され光軸方向に延在する構成としたが、本発明はこれに限定されることはなく、撮像装置に直接的にバー部材５ａが固定され光軸方向に延在する構成としてもよい。ここで、マットボックス６０は、図では想像線（２点鎖線）で表している。マットボックス６０は、不要な外乱光を遮光するために用いるものである。また、フォーカス回転操作アクセサリー５３ａは、回転操作アクセサリー５１を回転操作すると、その回転力が連結ギア５２を介してレンズ本体１のフォーカス操作ギア２０へと伝達し、フォーカス操作を行うものである。
【００１３】
次に、図１から３を参照して、レンズ装置のレンズ支持部について説明する。レンズ本体１には、フォーカス操作ギア２０とアイリス操作ギア２３との間に固定されている固定部２１を有する。固定部２１には、ネジ部２２を有しており、レンズ支持アダプター２ａに有するアダプター固定ネジ４と締結することで、レンズ支持アダプター２ａをレンズ本体１に固定することができる。レンズ支持アダプター２ａは、紙面上左右に反転し固定部２１に固定できるように、フォーカス操作ギア２０やアイリス操作ギア２３と干渉しない形状となっている。また、図２に示すようにレンズ支持アダプター２ａの形状は、アダプター固定ネジ４を中心に左側の突出部（光軸方向における物体側）が右側の突出部（光軸方向における像側）よりも大きい左右非対称な形状（光軸方向に対して非対称な形状）となっている。レンズ支持アダプター２ａの下方には、図３に示すようにネジ部３ａ、３ｂ（連結固定部）を有する。ネジ部３ａは、レンズ支持アダプター２ａの左側に突出した側にあり、ネジ部３ｂは、アダプター固定ネジ４と光軸に垂直な同一平面上の下方（光軸回りの異なる回転位置）に位置する。すなわち、ネジ部３ａ，３ｂは光軸方向において離間して形成されている。レンズ支持ベース４３は、バー部材５ａに固定ツマミ４４を締付けることで固定されている。レンズ支持ベース４３には、レンズ支持棒４０に有するネジ部４１と噛み合うネジ部があり、レンズ支持棒４０を回転することで、レンズ支持ベース４３に対する高さを調整することができる。レンズ支持棒４０の高さを調整し、レンズ支持アダプター２ａと当接した後、固定ネジ４２をレンズ支持アダプター２ａのネジ部３ａ、３ｂに対して締結することで、レンズ本体１はバー部材５ａと連結固定される。図３では、アダプター固定ネジ４はネジ部３ａと締結している。
【００１４】
次に、図１に対して、レンズ支持棒４０のバー部材５ａに対する取付け位置が異なる場合について、図４（ａ）、（ｂ）を用いて説明する。
【００１５】
図４（ａ）は、図１に対して、フォーカス回転操作アクセサリー５３ｂとしたものである。図４（ａ）に示したフォーカス回転操作アクセサリー５３ｂは、図１のフォーカス回転操作アクセサリー５３ａと連結ギアの位置や大きさが異なるため、バー部材５ａ上の位置をマットボックス６０に対して近接した位置としたものである。そのため、レンズ支持アダプター２ａは、図１に対して紙面上左右反転した位置に固定し、レンズ支持ベース４３は、固定ネジ４２がレンズ支持アダプター２ａのネジ部３ｂと締結できる位置へ移動してバー部材５ａに固定する。
【００１６】
図４（ｂ）は、図１に例示した場合に対して、フォーカス回転操作アクセサリー５３ｃに対応可能とするためのレンズ支持アダプター２ａの取付けとなった場合を示したものである。図４（ｂ）に示したフォーカス回転操作アクセサリー５３ｃは、図１のフォーカス回転操作アクセサリー５３ａと連結ギアの位置や大きさが異なるため、バー部材５ａに接続固定される位置が図１と図４（ａ）に示した場合の固定位置の間となっている。そのため、レンズ支持アダプター２ａは、図１に対して紙面上左右反転した（固定部２１との固定位置において光軸に垂直な方向を軸として１８０°回転した）状態で固定し、レンズ支持ベース４３は、固定ネジ４２がレンズ支持アダプター２ａのネジ部３ａと連結できる位置へ移動してバー部材５ａに固定する。
【００１７】
以上述べたように、本実施例では、レンズ支持アダプター２ａのレンズ装置の固定部２１への取付け向きを変更して固定可能であり、また、レンズ支持棒４０とのネジ締結位置も変更可能であり、この構成により、様々なフォーカス回転操作アクセサリーに対応可能である。本実施例では、異なるフォーカス回転操作アクセサリーを使用する場合について説明したが、レンズ支持部や、マットボックス、電動操作アクセサリーといった各種レンズアクセサリーの組合せにおいても同様に適用できる。
【００１８】
以上、本発明の好ましい実施形態について説明したが、本発明はこれらの実施形態に限定されず、その要旨の範囲で種々の変形及び変更が可能である。
【実施例２】
【００１９】
図５は、本発明の第２の実施例におけるレンズ装置の全体図であり、図６は、図５におけるＣ−Ｃ断面図を示したものである。
図５、図６を参照して、電動操作アクセサリー５４の取付けについて説明する。
【００２０】
本実施例は、実施例１に対して、レンズ支持アダプター２ａがレンズ支持アダプター２ｂとなっている点が異なり、その他の構造については実施例１と同様の構成を有する。レンズ支持アダプター２ｂは、２本のバー部材５ｂ（保持部）を有する。バー部材５ｂは、バー部材５ａと同径であり、レンズ操作のためのアクセサリー（機能アクセサリー）が取付け可能であってバー部材５ａに保持させることなく、バー部材５ｂによって保持することができる。本実施例では、電動操作アクセサリー５４がバー部材５ｂに装着される。電動操作アクセサリー５４は、図示していないサーボモータが内蔵されており、ケーブル５６を介して電源供給と制御信号が送られている。電動操作アクセサリー５４は、連結ギア５５がアイリス操作ギア２３と噛み合うようにバー部材５ｂ上に固定される。電動操作アクセサリー５４のサーボモータが回転すると連結ギア５５が回転し、ギア連結されたアイリス操作ギア２３も回転することで絞り値を変更する。
【００２１】
以上述べたように、本実施例では、カメラプレート７１から伸びるバー部材５ａ上に電動操作アクサリー５４の取付けスペースが確保できない場合でも、レンズ支持アダプター２ａに有するバー部材５ｂに取り付けることが可能となり、運用上の拡張性が増す。本実施例では、電動操作アクセサリー５４をバー部材５ｂに装着したが、フォーカス回転操作アクセサリーなどの操作アクサリーについても同様に適用できる。
以上、本発明の好ましい実施形態について説明したが、本発明はこれらの実施形態に限定されず、その要旨の範囲で種々の変形及び変更が可能である。
【実施例３】
【００２２】
図７は、本発明の第３の実施例におけるレンズ装置の全体図であり、図８は、図７におけるＤ−Ｄ断面図を示したものである。
図７、図８を参照して、フォーカス操作ギア２０の操作範囲の設定について説明する。
【００２３】
本実施例は、実施例１に対して、レンズ支持アダプター２ａをレンズ支持アダプター２ｃとなっている点が異なり、その他の構造については実施例１と同様である。レンズ支持アダプター２ｃには、レンズ本体１に装着したストッパー部材２５と当接する操作端規制部６を有する。操作端規制部６は、ストッパー部材２５が接触した際の衝撃を吸収するため、ゴムなどの弾性部材であり、レンズ支持アダプター２ｃに接着固定もしくは一体成型されている。ストッパー部材２５は、ストッパーリング２６にネジ込み固定されている。ストッパーリング２６は、フォーカス操作ギア２０の外周上に係合しており、固定ネジ２７によってフォーカス操作ギア２０へ固定され、外周上から光軸を中心とする半径方向外側に向けて突出している。図８では、フォーカス操作ギア２０が紙面上反時計方向に角度ｖ回転するとストッパー部材２５がレンズ支持アダプター２ｃ上の操作端規制部６と当接する。角度ｖは、レンズ本体１の内部に有するフォーカス操作ギア２０の可動範囲内にある角度である。ストッパーリング２６の位置は、ストッパーリング２６に有する長溝２８の範囲によってフォーカス操作ギア２０への固定位置が調整可能であり、その位置によって角度ｖが変化する。
【００２４】
以上述べたように、本実施例ではフォーカス操作ギア２０を任意の位置で規制したい場合に、フォーカス操作ギア２０近傍に設けたレンズ支持アダプター２ｃが規制となることで、別途規制のための部材を設ける必要がない。本実施例では、可動な光学部材としてフォーカス操作についての規制について述べているが、アイリスやズームなどの回転操作アクセサリーに適用してもよい。
【００２５】
以上、本発明の好ましい実施形態について説明したが、本発明はこれらの実施形態に限定されず、その要旨の範囲で種々の変形及び変更が可能である。
【００２６】
上記の特徴的なレンズ支持アダプターを備える本発明のレンズ装置と、該レンズ装置によって結像される被写体像を撮像する撮像装置を備える、撮影装置によって、本発明の効果を享受可能な、様々な回転操作アクセサリーを含む機能アクセサリーに対応した、撮影装置を提供することができる。
【符号の説明】
【００２７】
１  レンズ本体
２ａ，２ｂ，２ｃ  レンズ支持アダプター（支持アダプター）
３ａ、３ｂ  ネジ部（連結固定部）
５ａ  バー部材（支持部材）
２０  フォーカス操作ギア（可動な光学部材）
２１  固定部
３０  アイリス操作ギア（可動な光学部材）
【図１】
2014106519.tif 000003
【図２】
2014106519.tif 000004
【図３】
2014106519.tif 000005
【図４】
2014106519.tif 000006
【図５】
2014106519.tif 000007
【図６】
2014106519.tif 000008
【図７】
2014106519.tif 000009
【図８】
2014106519.tif 000010